【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
第１の基板と第２の基板の間に封入された液晶層と、
前記第１の基板と前記第２の基板のうちの少なくとも一方の基板において、前記液晶層に対向する面とは異なる面に配置された偏光板と、
前記第１の基板と前記第２の基板のうちの観察側の基板と異なる基板に配置され、前記観察側から入射した光を反射する反射膜と、
前記反射膜よりも前記観察側に配置され、前記観察側から入射して前記反射膜により反射されて前記観察側へ出射する光を着色させる波長域に対応する光吸収域をもった帯色補償フィルタと、
を備えることを特徴とする液晶表示素子。
【請求項２】
前記帯色補償フィルタは前記光吸収域に対応した波長域の色の色素が分散された色素フィルタからなっていることを特徴とする請求項１に記載の液晶表示素子。
【請求項３】
前記液晶層は液晶分子が前記第１の基板と前記第２の基板の間において６０°〜７０°のツイスト角でツイスト配向したネマティック液晶からなり、前記偏光板は前記観察側の基板の前記液晶層に対向する面とは異なる面に配置されており、前記帯色補償フィルタは５７０ｎｍ〜５８０ｎｍの波長域に吸収率のピークをもった吸収特性を有していることを特徴とする請求項１または２に記載の液晶表示素子。
【請求項４】
前記帯色補償フィルタは前記５７０ｎｍ〜５８０ｎｍの波長光の透過率が７５％〜８０％、５５０ｎｍ以下及び５９０ｎｍ以上の波長光の透過率がそれぞれ９０％以上の吸収特性を有していることを特徴とする請求項３に記載の液晶表示素子。
【請求項５】
前記液晶層は液晶分子が前記第１の基板と前記第２の基板の間において９０°のツイスト角でツイスト配向したネマティック液晶からなり、前記偏光板は前記第１の基板の前記液晶層に対向する面とは異なる面及び前記第２の基板の前記液晶層に対向する面とは異なる面にそれぞれ配置され、前記反射膜は、前記観察側とは異なる前記偏光板の外面に配置されており、前記帯色補償フィルタは、５４０ｎｍ〜５６０ｎｍの波長域に吸収率のピークをもった吸収特性を有していることを特徴とする請求項１または２に記載の液晶表示素子。
【請求項６】
前記帯色補償フィルタは前記５４０ｎｍ〜５６０ｎｍの波長光の透過率が８０％〜９０％、４７０ｎｍ以下及び６３０ｎｍ以上の波長光の透過率がそれぞれ９０％以上の吸収特性を有していることを特徴とする請求項５に記載の液晶表示素子。
【請求項７】
前記帯色補償フィルタの前記５４０ｎｍ〜５６０ｎｍの波長光の透過率は８５％〜９０％であることを特徴とする請求項６に記載の液晶表示素子。
【請求項８】
前記帯色補償フィルタの前記５４０ｎｍ〜５６０ｎｍの波長光の透過率は８０％〜８５％であることを特徴とする請求項６に記載の液晶表示素子。
【手続補正２】
【補正対象書類名】明細書
【補正対象項目名】０００６
【補正方法】変更
【補正の内容】
【０００６】
この発明の請求項１に記載の液晶表示素子は、
第１の基板と第２の基板の間に封入された液晶層と、
前記第１の基板と前記第２の基板のうちの少なくとも一方の基板において、前記液晶層に対向する面とは異なる面に配置された偏光板と、
前記第１の基板と前記第２の基板のうちの観察側の基板と異なる基板に配置され、前記観察側から入射した光を反射する反射膜と、
前記反射膜よりも前記観察側に配置され、前記観察側から入射して前記反射膜により反射されて前記観察側へ出射する光を着色させる波長域に対応する光吸収域をもった帯色補償フィルタと、
を備えることを特徴とする。
【手続補正３】
【補正対象書類名】明細書
【補正対象項目名】０００７
【補正方法】変更
【補正の内容】
【０００７】
請求項２に記載の発明は、前記請求項１に記載の液晶表示素子において、前記帯色補償フィルタは、前記光吸収域に対応した波長域の色の色素が分散された色素フィルタからなっていることを特徴とする。
【手続補正４】
【補正対象書類名】明細書
【補正対象項目名】０００８
【補正方法】変更
【補正の内容】
【０００８】
請求項３に記載の発明は、前記請求項１または２に記載の液晶表示素子において、前記液晶層は液晶分子が前記第１の基板と前記第２の基板の間において６０°〜７０°のツイスト角でツイスト配向したネマティック液晶からなり、前記偏光板は前記観察側の基板の前記液晶層に対向する面とは異なる面に配置されており、前記帯色補償フィルタは５７０ｎｍ〜５８０ｎｍの波長域に吸収率のピークをもった吸収特性を有していることを特徴とする。
【手続補正５】
【補正対象書類名】明細書
【補正対象項目名】０００９
【補正方法】変更
【補正の内容】
【０００９】
請求項４に記載の発明は、前記請求項３に記載の液晶表示素子において、前記帯色補償フィルタは前記５７０ｎｍ〜５８０ｎｍの波長光の透過率が７５％〜８０％、５５０ｎｍ以下及び５９０ｎｍ以上の波長光の透過率がそれぞれ９０％以上の吸収特性を有していることを特徴とする。
【手続補正６】
【補正対象書類名】明細書
【補正対象項目名】００１０
【補正方法】変更
【補正の内容】
【００１０】
請求項５に記載の発明は、前記請求項１または２に記載の液晶表示素子において、前記液晶層は液晶分子が前記第１の基板と前記第２の基板の間において９０°のツイスト角でツイスト配向したネマティック液晶からなり、前記偏光板は前記第１の基板の前記液晶層に対向する面とは異なる面及び前記第２の基板の前記液晶層に対向する面とは異なる面にそれぞれ配置され、前記反射膜は、前記観察側とは異なる前記偏光板の外面に配置されており、前記帯色補償フィルタは、５４０ｎｍ〜５６０ｎｍの波長域に吸収率のピークをもった吸収特性を有していることを特徴とする。
【手続補正７】
【補正対象書類名】明細書
【補正対象項目名】００１１
【補正方法】変更
【補正の内容】
【００１１】
請求項６に記載の発明は、前記請求項５に記載の液晶表示素子において、前記帯色補償フィルタは前記５４０ｎｍ〜５６０ｎｍの波長光の透過率が８０％〜９０％、４７０ｎｍ以下及び６３０ｎｍ以上の波長光の透過率がそれぞれ９０％以上の吸収特性を有していることを特徴とする。
【手続補正８】
【補正対象書類名】明細書
【補正対象項目名】００３５
【補正方法】変更
【補正の内容】
【００３５】
そして、図２のように、前記前基板１側のλ／４位相差板１３は、その遅相軸１３ａを、前記横軸Ｓに対して９０°の方向、つまり、前記前基板１の近傍における液晶分子の配向方向１ａに対して、観察側から見た前記液晶分子のツイスト方向とは逆方向（観察側から見て左回り方向）に３５°±５°の角度で交差させて配置され、前記偏光板９側のλ／２位相差板１４は、その遅相軸１４ａを、前記横軸Ｓに対して、観察側から見て左回りに１５０°±５°の方向、つまり、前記λ／４位相差板１３の遅相軸１３ａに対して、観察側から見た前記液晶分子のツイスト方向とは逆方向（観察側から見て左回り方向）に６０°±５°の角度で交差させて配置されている。
【手続補正９】
【補正対象書類名】明細書
【補正対象項目名】００３９
【補正方法】変更
【補正の内容】
【００３９】
さらに、前記液晶分子のツイスト角を６０°〜７０°の範囲の他の角度、例えば６５°にする場合は、前記前基板１と後基板２の配向処理方向１ａ，２ａ及び前記偏光板９の透過軸９ａの向きと、前記液晶層３のΔｎｄの値と、前記広帯域位相差層１２のλ／４位相差板１３のリタデーション値とをそれぞれ、前記６０°ツイストのときと７０°ツイストのときの中間の向き及び値に設定し、前記広帯域位相差層１２のλ／４位相差板１３とλ／２位相差板１４の遅相軸１３ａ，１４ａの向きを図２と同じ方向に設定する。
【手続補正１０】
【補正対象書類名】明細書
【補正対象項目名】００４２
【補正方法】変更
【補正の内容】
【００４２】
そのため、この実施例では、前記帯色補償フィルタ１５として、前記５７０ｎｍ〜５８０ｎｍの波長域に吸収率のピークをもち、且つ、前記５７０ｎｍ〜５８０ｎｍの波長光の透過率が７５％〜８０％、５５０ｎｍ以下及び５９０ｎｍ以上の波長光の透過率がそれぞれ９０％以上の吸収特性を有するものを備えている。
【手続補正１１】
【補正対象書類名】明細書
【補正対象項目名】００４３
【補正方法】変更
【補正の内容】
【００４３】
図３は前記帯色補償フィルタ１５の分光特性図であり、この帯色補償フィルタ１５は、前記吸収率のピークである５７０ｎｍ〜５８０ｎｍの波長光の透過率が７５％〜８０％、５５０ｎｍ以下及び５９０ｎｍ以上の波長光の透過率がそれぞれ９０％以上で、さらに、４８０ｎｍ以下及び６００ｎｍ以上の波長光の透過率がそれぞれ１００％の吸収特性を有している。
【手続補正１２】
【補正対象書類名】明細書
【補正対象項目名】００４７
【補正方法】変更
【補正の内容】
【００４７】
すなわち、前記観察側から入射した光は、前記偏光板９により直線偏光にされ、前記液晶層３の複屈折作用により偏光状態を制御されて前記反射膜１１により反射される。そして、前記反射膜１１により反射された光は、前記液晶層３の複屈折作用によりさらに偏光状態を制御されて前記偏光板９に入射し、この偏光板９の透過軸９ａに平行な直線偏光成分の光が、前記偏光板９を透過して観察側へ出射する。
【手続補正１３】
【補正対象書類名】明細書
【補正対象項目名】００４８
【補正方法】変更
【補正の内容】
【００４８】
この液晶表示素子は、前基板１の外面側に１枚の偏光板９を配置した反射型液晶表示素子であるため、前記偏光板９による光の吸収が、観察側からの入射光を直線偏光させるための吸収だけであるため、明るいノーマリーホワイトの反射表示を行うことができる。
【手続補正１４】
【補正対象書類名】明細書
【補正対象項目名】００６１
【補正方法】変更
【補正の内容】
【００６１】
（第２の実施形態）
図５はこの発明の第２の実施例を示す液晶表示素子の一部分の断面図である。なお、この実施例において、上述した第１の実施例に対応するものには図に同符号を付し、同じものについてはその説明を省略する。
【手続補正１５】
【補正対象書類名】明細書
【補正対象項目名】００６５
【補正方法】変更
【補正の内容】
【００６５】
この実施例の液晶表示素子は、前記液晶層３の液晶分子を前記一対の基板１，２間において９０°のツイスト角でツイスト配向させたＴＮ型液晶表示素子であり、前記液晶層３のΔｎｄの値は、５１０ｎｍ〜６３０ｎｍに設定され、前記一対の偏光板９，１０は、無電界時の表示が白のノーマリーホワイト表示を行うために、それぞれの透過軸を互いに直交させて配置されている。
【手続補正１６】
【補正対象書類名】明細書
【補正対象項目名】００６６
【補正方法】変更
【補正の内容】
【００６６】
図６は前記一対の基板１，２の配向処理方向（配向膜７，８のラビング方向）と、前記前側偏光板９及び後側偏光板１０の透過軸の向きを示す図であり、前記前基板１は、液晶表示素子の画面の横軸Ｓに対して観察側から見て右回りに４５°の方向１ａに配向処理され、前記後基板２は、前記横軸Ｓに対して観察側から見て左回りに４５°の方向２ａに配向処理されており、前記液晶層３の液晶分子は、図に前記一対の基板１，２間における液晶分子のツイスト方向を破矢線で示したように、前記後基板２から前基板１に向かい、観察側から見て左り方向に９０°のツイスト角でツイスト配向している。
【手続補正１７】
【補正対象書類名】明細書
【補正対象項目名】００６７
【補正方法】変更
【補正の内容】
【００６７】
そして、前記一対の偏光板９，１０のうちの観察側の偏光板（以下、前側偏光板という）９は、その透過軸９ａを、前記前基板１の近傍における液晶分子の配向方向（前基板１の配向処理方向）１ａと平行にするか、或いは直交させて配置され、観察側とは反対側の偏光板（以下、後側偏光板という）１０は、その透過軸１０ａを、前記前側偏光板９の透過軸９ａと直交させて配置されている。
【手続補正１８】
【補正対象書類名】明細書
【補正対象項目名】００６９
【補正方法】変更
【補正の内容】
【００６９】
前記観察側から入射し、前記半透過反射膜１６により反射されて前記観察側へ出射する各波長光の強度は、前記液晶分子のツイスト角及び液晶層３のΔｎｄの値に対応し、前記液晶分子のツイスト角を９０°、前記液晶層３のΔｎｄの値を５１０ｎｍ〜６３０ｎｍに設定した場合は、５４０ｎｍ〜５６０ｎｍの波長域の光が観察側へ出射する。
【手続補正１９】
【補正対象書類名】明細書
【補正対象項目名】００７０
【補正方法】変更
【補正の内容】
【００７０】
そのため、この実施例では、前記帯色補償フィルタ１７として、前記５４０ｎｍ〜５６０ｎｍの波長域に吸収率のピークをもち、且つ、前記５４０ｎｍ〜５６０ｎｍの波長光の透過率が８０％〜９０％、４７０ｎｍ以下及び６３０ｎｍ以上の波長光の透過率がそれぞれ９０％以上の吸収特性を有するものを備えている。
【手続補正２０】
【補正対象書類名】明細書
【補正対象項目名】００７２
【補正方法】変更
【補正の内容】
【００７２】
図７は前記２つのフィルタＡ，Ｂの分光特性図であり、前記フィルタＡは、前記吸収率のピークである５４０ｎｍ〜５６０ｎｍの波長光の透過率が８５％〜９０％、４７０ｎｍ以下及び６３０ｎｍ以上の波長光の透過率がそれぞれ９０％以上で、さらに、４５０ｎｍ以下の波長光の透過率が９５％以下、６５０ｎｍ以上の波長光の透過率が１００％の吸収特性を有している。
【手続補正２１】
【補正対象書類名】明細書
【補正対象項目名】００７３
【補正方法】変更
【補正の内容】
【００７３】
また、前記フィルタＢは、前記吸収率のピークである５４０ｎｍ〜５６０ｎｍの波長光の透過率が８０％〜８５％、４７０ｎｍ以下及び６３０ｎｍ以上の波長光の透過率がそれぞれ９０％以上で、さらに、４５０ｎｍ以下の波長光の透過率が９５％以下、６５０ｎｍ以上の波長光の透過率が１００％の吸収特性を有している。
【手続補正２２】
【補正対象書類名】明細書
【補正対象項目名】００７８
【補正方法】変更
【補正の内容】
【００７８】
また、透過表示のときは、前記面光源から照射され、後側から前記半透過反射膜１６を透過して入射した光が、後側偏光板１０により直線偏光にされ、前記液晶層３の複屈折作用により偏光状態を制御されて前側偏光板９に入射し、この前側偏光板９の透過軸９ａに平行な直線偏光成分の光が、前記前側偏光板９を透過して観察側へ出射する。
【手続補正２３】
【補正対象書類名】明細書
【補正対象項目名】００８６
【補正方法】変更
【補正の内容】
【００８６】
特に、前記帯色補償フィルタ１７として、吸収率のピークである５４０ｎｍ〜５６０ｎｍの波長光の透過率が８０％〜８５％であるフィルタＢを備えた液晶表示素子LCD-5は、無彩色点Ｗに対する色差ΔＷがより小さい白表示が得られるため、帯色の無い、さらに高品質の反射表示を行うことができる。
【手続補正２４】
【補正対象書類名】明細書
【補正対象項目名】００９０
【補正方法】変更
【補正の内容】
【００９０】
また、上記第１及び第２の実施例の液晶表示素子は、液晶分子を６０°〜７０°または９０°のツイスト角でツイスト配向させたＴＮ型液晶表示素子であるが、この発明は、反射表示を行う他の液晶表示素子、例えば液晶分子を１８０°以上（例えば２２０°〜２７０°）ツイスト角でツイスト配向させたＳＴＮ型液晶表示素子、液晶分子を分子長軸を一方向に揃えて水平配向させた非ツイストのホモジニアス配向型液晶表示素子、液晶分子を基板面に対して垂直な方向に配向させた垂直配向型液晶表示素子等にも
適用することができる。